(57)【要約】【課題】複数の記録メディアを有する撮像装置において、撮影時に生じる外乱磁界を回避し、方位を正確に計測することを可能とした撮像装置を提供すること。【解決手段】方位計測モードに切替え可能な撮像装置において、多層プリント基板に実装された地磁気センサと、地磁気センサから所定距離の離れた位置に配置された第１のメディアスロットと、第１のメディアスロットよりも地磁気センサの近傍に配置された第２のメディアスロットで構成される２連のメディアスロットと、第１、第２のメディアスロットへの記録メディア挿入有無、及び、特性を検知するメディア検知手段と、地磁気センサの出力を取り込んで方位の算出を行い、且つ、その方位情報を撮影された画像データに付与し、記録メディアに記録可能な方位情報付与手段を有し、方位計測モード時は、第１のメディアスロットに挿入された記録メディアのみに記録を行うことを特徴とする。【選択図】図１
2017069878.tif 000002
【特許請求の範囲】
【請求項１】
方位計測モードに切替え可能なモード切替え操作部（１１０）を有する撮像装置（１００）において、多層プリント基板（３０１）上に実装され、地磁気を検出して地磁気情報を出力する地磁気センサ（１０８）と、地磁気センサ（１０８）から所定距離の離れた位置に配置された第１のメディアスロット（１１３ｂ）と、第１のメディアスロット（１１３ｂ）よりも地磁気センサ（１０８）のより近傍に配置された第２のメディアスロット（１１４ｂ）で構成される２連のメディアスロットと、第１のメディアスロット（１１３ｂ）、及び、第２のメディアスロット（１１４ｂ）への記録メディア挿入有無、及び、挿入された記録メディアの特性を検知するメディア検知手段（１１２）と、地磁気センサ（１０８）の出力を取り込んで方位の算出と、算出された方位情報を撮影された画像データに付与し、少なくとも第１のメディアスロット（１１３ｂ）、第２のメディアスロット（１１４ｂ）のいずれか一方に挿入された記録メディアに記録可能な方位情報付与手段（１０９）を有し、方位計測モード時は、第１のメディアスロット（１１３ｂ）に挿入された記録メディアのみに記録を行うことを特徴とする撮像装置（１００）。
【請求項２】
モード切替え操作部（１１０）により方位計測モードへ切替えられた際に、記録メディア挿入有無、及び、挿入された記録メディアの特性を検知するメディア検知手段（１１２）によってカレントが第２のメディアスロット（１１４ｂ）と判断された場合は、カレントを第１のメディアスロット（１１３ｂ）へ切り替える警告を表示装置（１０７）に表示することを特徴とする請求項１に記載の撮像装置（１００）。
【請求項３】
モード切替え操作部（１１０）により方位計測モードへ切替えられた際に、記録メディア挿入有無、及び、挿入された記録メディアの特性を検知するメディア検知手段（１１２）によって第２のメディアスロット（１１４ｂ）に記録メディアが挿入されていると判断された場合は、第１のメディアスロット（１１３ｂ）へ入れ替える警告を表示装置（１０７）に表示することを特徴とする請求項１に記載の撮像装置（１００）。
【請求項４】
モード切替え操作部（１１０）により方位計測モードへ切替えられた際に、記録メディア挿入有無、及び、挿入された記録メディアの特性を検知するメディア検知手段（１１２）によって、第１のメディアスロット（１１３ｂ）、及び、第２のメディアスロット（１１４ｂ）それぞれに第１の記録メディア１１３ａ、及び、第２の記録メディア１１４ａが挿入されていると検知された場合は、前記メディア検知手段（１１２）により検知された通信速度の比較結果に基づき、通信速度が高速となる記録メディアを第１のメディアスロット（１１３ｂ）へ入れ替える警告を表示装置（１０７）に表示することを特徴とする請求項１に記載の撮像装置（１００）。
【発明の詳細な説明】
【技術分野】
【０００１】
本発明は、撮影の際に方位の計測を行う撮像装置に関し、特に方位計測時の撮像装置の制御方法に関する。
【背景技術】
【０００２】
近年のデジタル一眼レフカメラなどの撮像装置は、電子コンパスを搭載した機種が登場している。電子コンパスは地磁気を地磁気センサにより検出し、その出力結果に基づいて撮像装置が向いている方角や二次元のコンパスなどを表示部に表示することでユーザーに認知させたり、又は撮像画像と共に方位情報を付加情報として記録することが可能となっている。
【０００３】
しかしながら、微弱な地磁気を検出する地磁気センサは、撮像装置内の様々な部品や回路基板が発生させる外乱磁界によっても地磁気の検出誤差が生じてしまう。
【０００４】
このため、外乱磁界を発生させる部品が動作している間、電子コンパスは正しい方位を計測することが出来ないという問題があった。
【０００５】
係る問題に対処するべく、特許文献１には、撮像開始指示から撮像画像の出力までの間に撮像部の構成部品を制御し、外乱磁界を発生させる部品の動作タイミング外の期間で地磁気センサを駆動させる技術が開示されている。
【０００６】
また、特許文献２には、撮像開始指示部を介して所定の操作入力が行われた後の所定期間に電気駆動部を非駆動状態とし、そのタイミングで地磁気センサを駆動させるという技術が開示されている。
【先行技術文献】
【特許文献】
【０００７】
【特許文献１】特開２０１１−１３９３７５号公報
【特許文献２】特開２０１２−９０１２４号公報
【発明の概要】
【発明が解決しようとする課題】
【０００８】
しかしながら、デジタル一眼レフカメラなどの撮像装置は単写だけではなく、例えば、連写での撮影も行われる。
【０００９】
連写の場合、撮像装置はユーザーの撮像開始指示に応じ、シャッター走行、露光、電気回路やＩＣなどでの画像生成、着脱可能なカード型の記録メディアへの書き込みといった一連の動作が連続して行われる。
【００１０】
連写時は複数枚の画像データを連続して処理しなければならないため、画像生成から記録メディアなどへの書き込みに要する時間が延び、次コマ撮影のためのシャッター走行や露光の動作タイミングと重畳する可能性がある。
【００１１】
また、記録メディア書き込み時の電流磁場も記録メディアと地磁気センサとの距離間隔によっては地磁気センサの出力を狂わす原因となる。
【００１２】
つまり、開示の従来技術にて構成部品を制御し、外乱磁界を発生させない期間を生成したとしても、連写時のように記録メディアへの書き込み動作が重畳し、外乱磁界を生じさせずに地磁気センサを駆動させるタイミングが作り出せない可能性がある。
【００１３】
また、撮像装置に取り付ける交換レンズにも外乱磁界を発生させるモーターなどが使用されている。
【００１４】
交換レンズのモーターから生じる外乱磁界は撮像装置筐体の大部分に及び、地磁気センサの配置位置は非常に限定的となってしまう。
【００１５】
しかしながら、その外乱磁界を避けた位置は記録メディア及び記録メディアが挿入されるスロットなどが配置されることが多く、更に、撮像装置によっては記録メディアを複数備える物もある。
【００１６】
何らかの工夫が無いと、複数配置された記録メディアのいずれかから生じる電流磁場によって正確に方位を計測出来ないといった課題が生じる。
【００１７】
そこで、本発明の目的は、複数の記録メディアを有する撮像装置において、撮影時に生じる外乱磁界を回避し、方位を正確に計測することを可能とした撮像装置を提供することにある。
【課題を解決するための手段】
【００１８】
上記の目的を達成するために、本発明に係る撮像装置は、
方位計測モードに切替え可能なモード切替え操作部を有する撮像装置において、多層プリント基板上に実装され、地磁気を検出して地磁気情報を出力する地磁気センサと、地磁気センサから所定距離の離れた位置に配置された第１のメディアスロットと、第１のメディアスロットよりも地磁気センサのより近傍に配置された第２のメディアスロットで構成される２連のメディアスロットと、第１のメディアスロット、及び、第２のメディアスロットへの記録メディア挿入有無、及び特性を検知するメディア検知手段と、地磁気センサの出力を取り込んで方位の算出と、算出された方位情報を撮影された画像データに付与し、少なくとも第１のメディアスロット、第２のメディアスロットのいずれか一方に挿入された記録メディアに記録可能な方位情報付与手段を有し、方位計測モード時は、第１のメディアスロットに挿入された記録メディアのみに記録を行うことを特徴とする。
【発明の効果】
【００１９】
本発明によれば、複数の記録メディアを有する撮像装置において、撮影時に生じる外乱磁界を回避し、方位を正確に計測することを可能とした撮像装置を提供することが出来る。
【図面の簡単な説明】
【００２０】
【図１】本発明の実施形態に係る撮像装置の構成を示すブロック図
【図２】同実施形態に係る撮像装置内部の第１の記録メディア、及び、第２の記録メディアの配置例を示す図
【図３】同実施形態に係る撮像装置内部の地磁気センサの配置例を示す図
【図４】同実施形態に係る第１の記録メディア、第２の記録メディアと、多層プリント基板、及び、地磁気センサとの位置関係を示す図
【図５】同実施形態に係る方位計測モードでの第１の記録メディア、及び、第１のメディアスロット、第２の記録メディア、及び、第２のメディアスロットの制御を示すフローチャート
【発明を実施するための形態】
【００２１】
以下に、本発明の好ましい実施形態を、図面に基づいて詳細に説明する。
【００２２】
図１は本発明の実施形態に関わる撮像装置の構成を示すブロック図である。
【００２３】
同図において、１００は撮像装置である。１０１は撮像光学系であり、交換レンズを含むフォーカスレンズやズームレンズ、補正レンズ等の各種レンズや、不要な波長を除去する光学フィルタ、シャッター、絞り等の光学部品からなる。
【００２４】
被写体から入射された光学像（被写体像）は、撮像光学系１０１における各光学部品を介し、撮像素子１０２の露光面に結像される。
【００２５】
撮像素子１０２は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  ＭｅｔａｌＯｘｉｄｅ  Ｓｅｍｉｃｏｎｄｕｃｔｏｒ）などの固体撮像素子で構成される。
【００２６】
この撮像素子１０２は、撮像光学系１０１から導かれた光学像を光電変換し、撮像画像を表す電気信号（アナログ画像信号）を出力する。
撮像光学系１０１には、撮像光学系１０１の光学部品を駆動するための不図示の光学部品駆動部が機械的に接続されている。
【００２７】
不図示の光学部品駆動部は、例えば、ステッピングモーターや超音波モーターなどのモーターや絞り調整機構などであり、ズームレンズ、フォーカスレンズの移動や絞りの調整を行う。
【００２８】
１０３は、撮像素子１０２のアナログ信号出力をデジタル信号に変換するＡ／Ｄ変換回路であり、１０４は撮像素子１０２を駆動させる撮像駆動回路である。
【００２９】
１０５は画像信号処理回路であり、Ａ／Ｄ変換回路１０３や中央演算処理回路１０９からの制御信号・映像信号を受け、入力表示装置制御回路１０６に映像信号を出力する。
【００３０】
１０７は表示装置であり、ＬＣＤ（Ｌｉｑｕｉｄ  Ｃｒｙｓｔａｌ  Ｄｉｓｐｌａｙ）などの液晶パネル、ならびに液晶パネルの背面より光を照射する不図示のバックライト、タッチパネルなどで構成される。
【００３１】
表示装置１０７は入力表示装置制御回路１０６からの指示に応じて、画像や警告などのメッセージ、タッチパネル操作ボタンの表示を行う。
【００３２】
タッチパネルは、指先と導電膜との間の静電容量の変化を捉えて検知する静電容量方式や、透明電極が配置され、手指などで押し下げた力点の位置座標を電圧値で検出する感圧方式（抵抗膜圧方式）などで構成される入力装置である。
【００３３】
表示装置１０７に表示されるタッチ操作用ボタンを操作することで撮影モードの切り替えや、各種の操作を行えるようにしてもよい。
【００３４】
１０８は地磁気センサであり、撮像装置１００が存在する場所における地磁気を検出し、地磁気情報を出力する。
【００３５】
地磁気センサ１０８は、例えば２軸地磁気センサ、又は３軸地磁気センサなどで構成される。
【００３６】
２軸地磁気センサは、撮像装置１００の前後方向及び左右方向の地磁気を検出し、３軸地磁気センサは、撮像装置１００の前後方向、左右方向及び上下方向の地磁気を検出する。
【００３７】
地磁気センサ１０８は検出した地磁気情報を中央演算処理回路１０９に出力する。
１１１は加速度センサであり、撮像装置１００に作用する加速度を検出する。
【００３８】
加速度センサ１１１は、例えば撮像装置１００の前後、左右、上下方向の加速度を検出する３軸の加速度センサで構成され、撮像装置１００に作用する３軸方向の加速度を検出する。
【００３９】
加速度センサ１１１は、検出した３軸の加速度情報を中央演算処理回路１０９に出力する。
【００４０】
中央演算処理回路１０９は、前記地磁気センサ１０８の検出値（地磁気情報）と、加速度センサ１１１の検出値（加速度情報）を用いて、撮像装置１００の姿勢と、撮像装置１００の向いている方位を算出する。
【００４１】
１０９は中央演算処理回路であり、撮像駆動回路１０４、画像信号処理回路１０５、入力表示装置制御回路１０６などの制御、及び、地磁気センサ１０８、加速度センサ１１１などの駆動・制御を行う回路である。
【００４２】
１１０はモード切替え操作部であり、押下げボタンや回転式のダイヤルといった機構部品で構成される。
【００４３】
ユーザーによりモード切替え操作部１１０が操作・指示されると、中央演算処理回路１０９の制御によって撮像装置１００の向いている方位の計測を行う方位計測モードへの移行などが可能である。
【００４４】
１１３ａは第１の記録メディア、及び、１１３ｂは第１のメディアスロットである。
第１の記録メディア１１３ａ、及び、第１のメディアスロット１１３ｂは、カード型のメモリーカードとメモリーカードコネクタなどで構成され、着脱可能な構成となっている。
【００４５】
また、第１の記録メディア１１３ａは、不図示のフレキシブルプリント配線基板などに実装された第１のメディアスロット１１３ｂを介して記録メディア制御回路１１２、中央演算処理回路１０９と通信を行う。
【００４６】
１１４ａは第２の記録メディア、及び、１１４ｂは第２のメディアスロットであり、構成としては第１の記録メディア１１３ａ、及び、第１のメディアスロット１１３ｂと同様である。
【００４７】
１１２は記録メディア制御回路であり、第１の記録メディア１１３ａ、及び、第２の記録メディア１１４ａの挿入有無の検知、挿入された第１の記録メディア１１３ａ、及び、第２の記録メディア１１４ａの容量や通信速度など特性情報の検知を行う。
【００４８】
記録メディア制御回路１１２は、検知した第１の記録メディア１１３ａ、及び、第２の記録メディア１１４ａの特性情報を中央演算処理回路１０９にフィードバックし、中央演算処理回路１０９はどちらの記録メディアに画像データを書き込むかの制御を行う。
【００４９】
また、中央演算処理回路１０９は画像信号処理回路１０５から出力された画像データに地磁気センサ１０８から出力された地磁気情報を付与し、記録メディア制御回路１１２を介して第１の記録メディア１１３ａ、第２の記録メディア１１４ａのいずれかに記録する。
【００５０】
次に図２を用いて、撮像装置１００における第１の記録メディア１１３ａ、第１のメディアスロット１１３ｂ、及び、第２の記録メディア１１４ａ、第２のメディアスロット１１４ｂの配置に関する実施例を説明する。
【００５１】
図２は撮像装置１００の背面図及び側面図である。
【００５２】
また、図中の矢印は撮像装置１００内に配置された第１のメディアスロット１１３ｂ、及び、第２のメディアスロット１１４ｂに、第１の記録メディア１１３ａ、及び、第２の記録メディア１１４ａを挿入する挿入方向を示している。
【００５３】
図２（ａ）は第１の記録メディア１１３ａ、第２の記録メディア１１４ａを並行に配置し、且つ、光軸に対して垂直な方向、例えば、撮像装置１００の側面から挿入する形態の実施例である。
【００５４】
この場合、撮像装置１００内部のスペースによっては第１の記録メディア１１３ａ、第２の記録メディア１１４ａは同一種類にする必要は無い。例えば、第１の記録メディア１１３ａをＣＦカード、第２の記録メディア１１４ａをＳＤカードなどで構成するようにしてもよい。
【００５５】
図２（ｂ）は第１の記録メディア１１３ａ、第２の記録メディア１１４ａを上下に並べて配置し、且つ、光軸に対して垂直な方向、例えば、撮像装置１００の側面から挿入する形態の実施例である。
【００５６】
この場合、撮像装置１００内部のスペース的な兼ね合いで、記録メディアは小型のもの、例えばＳＤカードなどが用いられる場合が多い。
【００５７】
図２（ｃ）は第１の記録メディア１１３ａ、第２の記録メディア１１４ａを並行に配置し、且つ、光軸に対して水平な方向、例えば、撮像装置１００の背面から挿入する形態の実施例である。
【００５８】
この場合、図２（ａ）同様に撮像装置１００内部のスペースによっては第１の記録メディア１１３ａ、及び、第２の記録メディア１１４ａは同一種類である必要は無い。例えば、第１の記録メディア１１３ａをＳＤカード、第２の記録メディア１１４ａをＣＦカードなどで構成するようにしてもよい。
【００５９】
次に図３を用いて、撮像装置１００における地磁気センサ１０８の配置に関する実施例を説明する。
【００６０】
図３は撮像装置１００の背面斜視図であり、内部構成を視認出来るように説明の便宜上、背面の外装は不図示としている。
【００６１】
また、図３で示す撮像装置１００の第１の記録メディア１１３ａ、第２の記録メディア１１４ａの配置は図２（ａ）で示した実施例としている。
【００６２】
３０１は高密度パターニング上に回路素子を両面実装可能とした２層以上の多層プリント基板であり、多層プリント基板３０１は不図示の本体シャーシに締結部材などで締結固定されている。
【００６３】
地磁気センサ１０８は前記多層プリント基板３０１上にリフロー実装されている。地磁気センサ１０８は微弱な地磁気を検出するため、撮像装置１００内の様々な部品や回路、基板が発生させる外乱磁界によっても地磁気の検出誤差が生じてしまう。このため、地磁気センサ１０８を配置する場所は外乱磁界の影響が及ぼされる範囲の外に配置することが望ましい。
【００６４】
しかしながら、撮像光学系１０１に含まれるズームレンズなどは、不図示のステッピングモーターや超音波モーターなどの光学部品駆動部が機械的に接続されている。
モーターの種類によっては生じる外乱磁界の範囲はおおよそ半径１００ｍｍの球状範囲まで影響を及ぼす可能性がある。
【００６５】
３０２の鎖線は外乱磁界の影響範囲を示したものである。例えば、不図示のレンズマウントから２０ｍｍの位置に撮像光学系１０１に含まれるズームレンズの光学部品駆動部が配置された場合、鎖線３０２で囲まれた範囲の外は、ほぼ外乱磁界の影響を受ける範囲となってしまう。
【００６６】
つまり、地磁気センサ１０８は撮像装置１００内に配置された多層プリント基板３０１上の鎖線３０２の範囲内に配置することが望ましい。
【００６７】
また、外乱磁界の影響範囲を示す鎖線３０２の範囲は、撮像光学系１０１内で用いられるズームレンズや、使用されている不図示の光学部品駆動部の種類などで変動する。
【００６８】
地磁気センサ１０８の配置位置も撮像光学系１０１内で用いられる可能性のあるズームレンズや、それに使用されている不図示の光学部品駆動部によって生じる外乱磁界の最大範囲を考慮して設定することが望ましい。
【００６９】
また、第１の記録メディア１１３ａ、第２の記録メディア１１４ａへの書き込み時の電流磁場も地磁気センサ１０８との距離間隔によっては地磁気センサ１０８の出力を狂わす原因となり、地磁気センサ１０８とは距離を離すことが望ましい。
【００７０】
図４は図２（ａ）の実施例で示した第１の記録メディア１１３ａ、第２の記録メディア１１４ａと、図３で示した多層プリント基板３０１、及び、多層プリント基板３０１上に実装された地磁気センサ１０８との位置関係を示す図である。
【００７１】
地磁気センサ１０８の配置位置に対し、第２のメディアスロット１１４ｂ、及び、第２の記録メディア１１４ａに比べ、第１のメディアスロット１１３ｂ、及び、第１の記録メディア１１３ａの方が直線距離で離れている位置関係となっている。
【００７２】
つまり、画像データの書き込み動作と、地磁気センサ１０８の駆動が同時に行われる場合、第１の記録メディア１１３ａへ書き込むように制御することで地磁気センサ１０８への電流磁場の影響を最小限に抑制することが可能となる。
【００７３】
また、図２（ｂ）、（ｃ）についても、例えば、地磁気センサ１０８を図２（ａ）と同一位置に配置した場合、第１の記録メディア１１３ａの方が直線距離で離れている位置関係となる。
【００７４】
つまり、地磁気センサ１０８を駆動させる方位計測モード時は、第１の記録メディア１１３ａへ書き込むように制御することで、図２（ａ）と同様に第１の記録メディア１３ａから地磁気センサ１０８へ与える電流磁場の影響を最小限に抑制することが可能となる。
【００７５】
次に図５を用いて実施形態の動作について説明する。
【００７６】
図５は地磁気センサ１０８を用いて方位計測を行う方位計測モードでの第１の記録メディア１１３ａ、及び、第１のメディアスロット１１３ｂ、第２の記録メディア１１４ａ、及び、第２のメディアスロット１１４ｂの制御を示すフローチャートである。
【００７７】
まず、モード切替え操作部１１０がユーザーにより所定の操作がなされると、中央演算処理回路１０９の制御により撮影時の方位の計測を行う方位計測モードへ移行するか否かをユーザーに確認を行う（Ｓ０１）。
【００７８】
この時、方位計測モードへ移行するか否かの選択は、例えば、表示装置１０７にメッセージを表示し、不図示の操作ボタンやタッチパネルなどでユーザーに選択させるようにしてもよい。
【００７９】
ユーザーにより方位計測モードへの移行を行わないと選択された場合は、モード切替え操作部１１０がユーザーにより所定の操作がなされる前に設定されていたモードを維持したまま図５のフローを終了する（Ｓ０１）。
【００８０】
方位計測モードへの移行が選択された場合は中央演算処理回路１０９、及び、記録メディア制御回路１１２は、現在のカレントが第１のメディアスロット１１３ｂ、及び、第２のメディアスロット１１４ｂのどちらに設定されているかを判断する（Ｓ０２）。
【００８１】
カレントが第１のメディアスロット１１３ｂと判断された場合はステップＳ０４に移行する（Ｓ０２）。
【００８２】
また、カレントが第２のメディアスロット１１４ｂに設定されていると判断された場合、中央演算処理回路１０９の制御により、表示装置１０７にカレントを第１のメディアスロット１１３ｂへ変更するか否かのメッセージを表示する（Ｓ０３）。
【００８３】
カレントを第１のメディアスロット１１３ｂへ変更するか否かをユーザーが判断し、不図示の操作ボタンやタッチパネルなどで操作・選択を行う（Ｓ０３）。
【００８４】
カレントを第１のメディアスロット１１３ｂへ変更すると選択された場合はステップＳ０４に移行する（Ｓ０３）。
【００８５】
カレントを第１のメディアスロット１１３ｂへ変更しないと選択された場合は、ステップＳ０１の処理に戻り、方位計測モードへ移行するか否かを再びユーザーに確認を行う（Ｓ０３）。
【００８６】
また、ステップＳ０１にて方位計測モードに移行した際は、ユーザーへの操作負荷を軽減するべく、表示装置１０７にメッセージを表示した後、自動でカレントを第１のメディアスロット１１３ｂに変更し、ステップＳ０４に移行するようにしてもよい。
【００８７】
次に、ステップＳ０４では記録メディア制御回路１１２により、第１のメディアスロット１１３ｂ、第２のメディアスロット１１４ｂに対し、第１の記録メディア１１３ａ、第２の記録メディア１１４ａの挿入有無の検知が行われる（Ｓ０４）。
【００８８】
第１のメディアスロット１１３ｂ、第２のメディアスロット１１４ｂが共に未挿入であると検知された場合は、未挿入の警告メッセージを表示装置１０７に表示してユーザーに明示し、Ｓ０１の処理に戻る（Ｓ０５）。
【００８９】
第１のメディアスロット１１３ｂ、第２のメディアスロット１１４ｂの両方に挿入されていると検知された場合、記録メディア制御回路１１２は第１の記録メディア１１３ａ、第２の記録メディア１１４ａのどちらが通信速度が高速かの比較・検知を行う（Ｓ０６）。
【００９０】
記録メディアは通信速度が高速な方が消費電流量も大きく、電流磁場も大きくなる。そのため、第１の記録メディア１１３ａ、第２の記録メディア１１４ａの両方の使用が必要な場合、方位計測モードでは、第１のメディアスロット１１３ｂに通信速度が高速となる方の記録メディアを挿入することが望ましい。
【００９１】
また、記録メディア制御回路１１２により、第１のメディアスロット１１３ｂに挿入された記録メディアの方が通信速度が高速であると判断された場合、中央演算処理回路１０９は方位計測モードでの撮影が可能と判断し、撮影操作の受付けを開始する（Ｓ１０）。
【００９２】
また、第２のメディアスロット１１４ｂに挿入された記録メディアの方が通信速度が高速であると判断された場合、挿入されている高速通信記録メディアを第１のメディアスロット１１３ｂへ入れ替える旨の警告メッセージを表示装置１０７に表示する（Ｓ０７）。
【００９３】
ステップＳ０７にて警告メッセージを表示装置１０７に表示した後、ステップＳ０４の処理に戻る（Ｓ０７）。
【００９４】
第１のメディアスロット１１３ｂ、第２のメディアスロット１１４ｂのいずれか一方に、第１の記録メディア１１３ａ、第２の記録メディア１１４ａのいずれか一方が挿入されていると検知された場合はＳ０８に移行する（Ｓ０４）。
【００９５】
記録メディア制御回路１１２は、続いて、第１のメディアスロット１１３ｂ、及び、第２のメディアスロット１１４ｂのどちらに第１の記録メディア１１３ａ、及び、第２の記録メディア１１４ａどちらが挿入されているか否かの検知を行う（Ｓ０８）。
【００９６】
第２のメディアスロット１１４ｂに挿入されていると検知された場合は、中央演算処理回路１０９の制御により、表示装置１０７に第１のメディアスロット１１３ｂへ入れ替える旨の警告メッセージを表示した後、Ｓ０１の処理に戻る（Ｓ０９）。
【００９７】
第１のメディアスロット１１３ｂに挿入されていると検知された場合は、中央演算処理回路１０９は方位計測モードでの撮影が可能と判断し、撮影操作の受付けを開始する（Ｓ１０）。
【００９８】
上記のような構成とすれば、複数の記録メディアを有する撮像装置においても撮影時に生じる外乱磁界からの影響を回避し、地磁気センサ１０８にて方位を正確に計測することが可能となる。
【００９９】
以上、本発明の好ましい実施形態について説明したが、本発明はこれらの実施形態に限定されず、その要旨の範囲内で種々の変形及び変更が可能である。
【符号の説明】
【０１００】
１００  撮像装置、１１０  モード切替え操作部、３０１  多層プリント基板、
１０８  地磁気センサ、１１３ｂ  第１のメディアスロット、
１１４ｂ  第２のメディアスロット、１１２  メディア検知手段、
１０９  方位情報付与手段
【図１】
2017069878.tif 000003
【図２】
2017069878.tif 000004
【図３】
2017069878.tif 000005
【図４】
2017069878.tif 000006
【図５】
2017069878.tif 000007